(57)【特許請求の範囲】
【請求項１】
液体を貯留自在な液体タンクを収容するケースに、前記液体タンク内の液体を取出すために前記液体タンクの下方に配置された電動ポンプ、及び、前記ケースの上部に配置された液体排出部と前記電動ポンプの吐出部とを連通接続する排出経路を内装するとともに、前記液体タンク内の液体残量を視認するために前記排出経路の途中部位に構成された液量表示部を設けてある電気ポットの液量表示構造であって、
前記排出経路における上下向きの中間経路部を、その下端が前記電動ポンプに可撓性を有した材料で成る接続管を介して接続され、かつ、上端が排出経路上部に接続された透明な水量管で構成し、
前記液量表示部を、前記ケースに形成された開口部の内側に前記水量管を配置して構成するとともに、前記開口部に装着される透明なカバー部材に、前記水量管の下端部の位置決めが自在なガイド手段を一体形成してある電気ポットの液量表示構造。
【請求項２】
前記カバー部材に、前記水量管の上端部の位置決めが自在なガイド手段を一体形成してある請求項１に記載の電気ポットの液量表示構造。
【請求項３】
液体を貯留自在な液体タンクを収容するケースに、前記液体タンク内の液体を取出すために前記液体タンクの下方に配置された電動ポンプ、及び、前記ケースの上部に配置された液体排出部と前記電動ポンプの吐出部とを連通接続する排出経路を内装するとともに、前記液体タンク内の液体残量を視認するために前記排出経路の途中部位に構成された液量表示部を設けてある電気ポットの液量表示構造であって、
前記排出経路における上下向きの中間経路部を、その下端が前記電動ポンプに可撓性を有した材料で成る接続管を介して接続され、かつ、上端が排出経路上部に接続された水量管で構成し、
前記液量表示部を、前記ケースに形成された開口部の内側に前記水量管を配置して構成するとともに、前記ケースの底部に、前記水量管の下端部の位置決めが自在なガイド手段を一体形成してある電気ポットの液量表示構造。
【請求項４】
前記ガイド手段を、前記接続管を挟み込み支持するべく前記底部に一体に立設された一対のガイド縦壁で構成してある請求項３に記載の電気ポットの液量表示構造。
【発明の詳細な説明】
【０００１】
【発明の属する技術分野】
本発明は、電気ポットの水量計支持構造に係り、詳しくは、タンク内残量を表示する水量計を、所定の取付け位置に正しく組付け固定できるようにする技術に関するものである。
【０００２】
【従来の技術】
従来の電気ポットにおいては、特開２００１−８８３１号公報にて示されたように、タンク内の湯の残量を確認するための液量表示部を容器本体に装備したものがある。つまり、外ケースの一部を切欠いた開口部に嵌め込み形成された透明な合成樹脂材製の水量カバーの内側に、透明なガラス管で成る水量管を視認自在に配置することで、蓋を開けることなく外部から液体貯留量の残量確認が行なえる便利なものである。
【０００３】
前記公報に示された電気ポットでは、貯留タンク下方の電動ポンプからポット上部の湯の注ぎ口に亘って配設された液体の排出経路のうち、縦向きの姿勢となる上下向き経路部を利用して液量表示装置を設けてある。即ち、上下向き経路部を耐熱ガラス、耐熱プラスチック等による透明な水量管で構成し、その水量管の存在する部分の外ケースを上下に細長く切欠いて開口部とし、その開口部に透明板を嵌める等して内部を見通し自在に構成することにより、水量管内の液面が容器の外から見えるようになり、従って、容器内の液位の視認による残量確認が行なえるように構成されていた。
【０００４】
【発明が解決しようとする課題】
前述の液量表示部における水量管は、その下端がゴムパイプを介して電動ポンプに、かつ、上端もゴムパイプを介して転倒止水弁にそれぞれ接続されることによって支持されるという不安定な支持状態であること、及び、排出経路が複数の部品の連結によって構成されているので、寸法誤差や組立て誤差が蓄積することにより、水量管が開口部に対して傾く等、ケースに形成された開口部と水量管との相対位置が定まり難い傾向がある。
【０００５】
加えて、接続管を介して水量管の下端が接続される電動ポンプは、ケースに内装されて、ケースとは別体の液体タンク側に取付け固定されているので、水量管の下端部と開口部とはより位置ズレし易いものであり、開口部に対して水量管が斜めに傾き易く、液量表示部には改善の余地が残されていた。従来では、水量管の傾きが許容できない場合には、排出経路における連結箇所の組付けをやり直したり、管どうしの嵌合位置を回動移動させて調節したりするという、ある程度の慣れが必要で、かつ、面倒な現場処理的な対策しかなく、そのような後処理が不要な位置決め手段が望まれていたのである。
【０００６】
本発明の目的は、極力コストアップすることなくケースの開口部に対して、水量管を所定の位置及び姿勢で組付けることができる電気ポットの液量表示構造を得る点にある。
【０００７】
【課題を解決するための手段】
請求項１の構成は、液体を貯留自在な液体タンクを収容するケースに、液体タンク内の液体を取出すために液体タンクの下方に配置された電動ポンプ、及び、ケースの上部に配置された液体排出部と電動ポンプの吐出部とを連通接続する排出経路を内装するとともに、液体タンク内の液体残量を視認するために排出経路の途中部位に構成された液量表示部を設けてある電気ポットの液量表示構造において、
排出経路における上下向きの中間経路部を、その下端が電動ポンプに可撓性を有した材料で成る接続管を介して接続され、かつ、上端が排出経路上部に接続された透明な水量管で構成し、
液量表示部を、ケースに形成された開口部の内側に水量管を配置して構成するとともに、開口部に装着される透明なカバー部材に、水量管の下端部の位置決めが自在なガイド手段を一体形成してあることを特徴とする。
【０００８】
請求項１の構成によれば、水量管の下端が、可撓性材料で成る接続管を介して電動ポンプに接続されていることにより、開口部に対する水量管下部の位置ずれが生じ易いが、カバー部材に形成されたガイド手段によって水量管下端部の位置決めが行われるので、位置ずれや斜めに傾くことが回避され、カバー部材と水量管とが平行になる等、設定通りの位置関係に組付けられるようになる。また、ガイド手段は、開口部に装着されるカバー部材に一体形成されているから、ほとんどコストアップすることが無く、別にガイド手段を設ける場合に比べて経済的に有利である。
【０００９】
請求項２の構成は、請求項１の構成において、カバー部材に、水量管の上端部の位置決めが自在なガイド手段を一体形成してあることを特徴とするものである。
【００１０】
請求項２の構成によれば、上下に長い部材である水量管の上端部もガイド手段によって位置決めされるから、水量管の開口部（カバー部材）に対する位置や姿勢を矯正して、より適正なセット状態に組付けることが可能になる。例えば、排出経路上部である転倒止水弁に、ゴム管等の可撓性を有した材料で成る接続管を介して水量管の上端が接続されている構造では、比較的水量管上部の姿勢や位置も狂い易いので、本請求項の構成により、水量管上部の位置や姿勢も適正な状態に矯正できて有効である。
【００１１】
請求項３の構成は、液体を貯留自在な液体タンクを収容するケースに、液体タンク内の液体を取出すために液体タンクの下方に配置された電動ポンプ、及び、ケースの上部に配置された液体排出部と電動ポンプの吐出部とを連通接続する排出経路を内装するとともに、液体タンク内の液体残量を視認するために排出経路の途中部位に構成された液量表示部を設けてある電気ポットの液量表示構造において、
排出経路における上下向きの中間経路部を、その下端が電動ポンプに可撓性を有した材料で成る接続管を介して接続され、かつ、上端が排出経路上部に接続された水量管で構成し、
液量表示部を、ケースに形成された開口部の内側に水量管を配置して構成するとともに、開口部を形成する部分のケースに、水量管の下端部の位置決めが自在なガイド手段を一体形成してあることを特徴とするものである。
【００１２】
請求項３の構成によれば、水量管の下端が、可撓性材料で成る接続管を介して電動ポンプに接続されていることにより、開口部に対する水量管下部の位置ずれが生じ易いが、開口部のケースに形成されたガイド手段によって水量管下端部の位置決めが行われるので、位置ずれや斜めに傾くことが回避され、開口部と水量管とが平行になる等、設定通りの位置関係に組付けられるようになる。また、ガイド手段は、ケースに一体形成されているから、ほとんどコストアップすることが無く、別にガイド手段を設ける場合に比べて経済的に有利である。
【００１３】
請求項４の構成は、請求項３の構成において、開口部を形成する部分のケースに、水量管の上端部の位置決めが自在なガイド手段を一体形成してあることを特徴とするものである。
【００１４】
請求項４の構成によれば、上下に長い部材である水量管の上端部もガイド手段によって位置決めされるから、水量管の開口部に対する位置や姿勢を矯正して、より適正なセット状態に組付けることが可能になる。例えば、排出経路上部である転倒止水弁に、ゴム管等の可撓性を有した材料で成る接続管を介して水量管の上端が接続されている構造では、比較的水量管上部の姿勢や位置も狂い易いので、本請求項の構成により、水量管上部の位置や姿勢も適正な状態に矯正できて有効である。
【００１５】
請求項５の構成は、液体を貯留自在な液体タンクを収容するケースに、液体タンク内の液体を取出すために液体タンクの下方に配置された電動ポンプ、及び、ケースの上部に配置された液体排出部と電動ポンプの吐出部とを連通接続する排出経路を内装するとともに、液体タンク内の液体残量を視認するために排出経路の途中部位に構成された液量表示部を設けてある電気ポットの液量表示構造において、
排出経路における上下向きの中間経路部を、その下端が電動ポンプに可撓性を有した材料で成る接続管を介して接続され、かつ、上端が排出経路上部に接続された水量管で構成し、
液量表示部を、ケースに形成された開口部の内側に水量管を配置して構成するとともに、ケースの底部に、水量管の下端部の位置決めが自在なガイド手段を一体形成してあることを特徴とするものである。
【００１６】
請求項５の構成によれば、水量管の下端が、可撓性材料で成る接続管を介して電動ポンプに接続されていることにより、開口部に対する水量管下部の位置ずれが生じ易いが、ケースの底部に形成されたガイド手段によって水量管下端部の位置決めが行われるので、位置ずれや斜めに傾くことが回避され、開口部と水量管とが平行になる等、設定通りの位置関係に組付けられるようになる。また、ガイド手段は、ケースの底部に一体形成されているから、ほとんどコストアップすることが無く、別にガイド手段を設ける場合に比べて経済的に有利である。
【００１７】
請求項６の構成は、請求項５の構成において、ガイド手段を、接続管を挟み込み支持するべく底部に一体に立設された一対のガイド縦壁で構成してあることを特徴とするものである。
【００１８】
請求項６の構成によれば、ケースの底部に一体形成されるガイド手段は、底部に一体に立設された一対のガイド縦壁で、電動ポンプと水量管とを接続連結する接続管を、すなわち、水量管よりも底部に近い位置にある接続管を挟み込む構造であるから、水量管下端部自体をガイドするに比べて、片持ち支持状態になるガイド縦壁の長さを短くできて、水量管下端部の横方向の位置ずれが有効に矯正できる。また、単に接続管を一対のガイド縦壁間に入れ込むだけで良いから、組み付けも簡単に行うことができる点も望ましい。
【００１９】
請求項７の構成は、請求項１〜６の構成において、液量表示部は、その左右方向の中間部が左右端部よりも外側に突出する凸面状に形成されていることを特徴とするものである。
【００２０】
請求項７の構成によれば、液量表示部が凸面状に形成されていて、ケースから外側に出っ張った状態に配置されているから、多少斜め方向から見ても水量管が視認し易いようになり、広い角度の視野でもって湯や水の残量確認が行い易い便利なものとなる。
【００２１】
【発明の実施の形態】
以下、本発明の実施の形態を図面に基づいて説明する。
図１、図２に液体貯留器の一例である電気ポットが示されている。この電気ポットは、内部に上方から凹入する有底筒状が形成された容器本体１８と、貯湯用空間１ａの上方を覆う蓋体１９とを設けて構成されている。
【００２２】
容器本体１８は、有底筒状の外装ケース２０と、貯湯用空間１ａを囲う内容器（液体タンクの一例）１と、外装ケース２０と内容器１との各上端側を互いに連接する肩ケース２１とを備え、外装ケース２０と肩ケース２１とは夫々合成樹脂にて作成されている。肩ケース２１は、その外周側が外装ケース２０の上端に連なる断面形状として容器本体１８の上部側外装体を構成するように形成されている。肩ケース２１の前面側（図１の紙面上における左側）の上方には、前方に膨出した注水ケース部２１Ａが形成されており、その上面には操作部４が、かつ、その内部の下端側には注ぎ口（給湯出口）２２が配設されている。
【００２３】
内容器１は、夫々ステンレス鋼板で成る内筒２３と外筒２４とによって形成されている。内筒２３は、円筒状の胴部２３ａと底板部２３ｂとを有して、その内部が貯湯用空間１ａとなる有底筒状に形成されている。胴部２３ａの上端側には、径方向に凸入した絞り部２３ｃが形成されるとともに、そのやや下側に内方に突出した満水目盛２３ｄが一体形成されている。外筒２４の胴部２４ａの上端は、内筒の胴部２３ａの上端に気密に接合されて、内筒２３と外筒２４との間に密閉空間２５を形成してあり、この真空処理されている密閉空間２５は断熱層になっている。
【００２４】
底板部２３ｂの中央部下面には、サーミスタ等から成る底センサ２６が下側から当接するように配置されており、貯湯用空間１ａの温度を検出する。そして、この底センサ２６を囲うように電気を用いた加熱手段であるヒータユニット２７が設けてある。ヒータユニット２７の下側には、内容器１の底を下側から覆う遮熱板２８が装備されており、その遮熱板２８の下側に電動ポンプ２が配置されている。
【００２５】
電動ポンプ２は、底板部２３ｂを貫通する状態に設けられた吸引管２ａと、排出経路３に接続される吐出管（吐出部の一例）２ｂとを備えて、内容器１の底と外装ケース２０の底部２０ａとの間の底空間部２９に配置されている。この底空間部２９には、上面が遮熱板３０ａで覆われた電装ケース３０も設置されており、その中にマイコンや制御回路基板等の電装品が収納されている。電動ポンプ２から吐出された湯は、排出経路３と転倒止水弁３１を通って給湯出口２２から外部に注がれる。
【００２６】
蓋体１９は、合成樹脂製の上板３３と下板３４とを一体化して成り、肩ケース２１の後端側に設けられたヒンジ機構３５を介して、開閉自在及び着脱自在に容器本体１８に支持されるとともに、内容器１の上面側開口を覆う閉じ位置で容器本体１８にロックするためのロック機構３６を備えている。蓋体１９の略中央位置には、手動による押し操作によって給湯する公知のエアー供給機構Ｅを構成するための押板３７が上下スライド移動自在に装備されている。エアー供給機構Ｅは、エアー型ベローズ３８、蒸気孔３９、空気・蒸気経路４０、転倒止水弁４１等を備えて機能するものである。
【００２７】
蓋体１９の下部には、エアー供給機構Ｅや空気・蒸気経路４０等を合理的に備えるための蓋構造部Ｈが設けてある。即ち、蓋構造部Ｈは、下板３４に一体形成された蓋下板部４２と、合成樹脂製の栓本体４３と、ステンレス金属板製の栓内蓋４４とを、この順に上から下に重ねた状態で４本のビス（図示省略）を用いて一体連結して構成されている。尚、４６は転倒止水弁４１の弁錘である。
【００２８】
空気・蒸気通路４０は、沸騰したときの蒸気逃がしや出湯に伴う空気導入が主な機能であり、栓本体４３の内側部分と蓋下板部４２とで囲まれた上空間部６９、栓本体４３の外側部分と蓋下板部４２とで囲まれた外周リング空間７０、これら上空間部６９と外周リング空間７０とを連通させる中間経路５５、通路孔５０、上板３３とした板３４との上下間に形成される通り道７１、上板３３に形成された蒸気通過スリット７２等から形成されている。
【００２９】
次に、容器本体に装備される水量表示部Ｆについて説明する。
図２〜図４に示すように、排出経路３は、電動ポンプ２の吐出管２ｂに連結された連結管６、透明ガラスパイプで成る水量管７、転倒止水弁３１、水量管７（上下向きの中間経路部の一例）と転倒止水弁３１とを連結する中継管８、及び、注ぎ口２２を有した出口管９（液体排出部の一例）から構成されている。なお、転倒止水弁３１と出口管９とが排出経路上部に相当している。
【００３０】
図４〜図７に示すように、水量表示部（液量表示部の一例）Ｆは、ほぼ垂直な縦向き姿勢の水量管７と、外装ケース２０に形成された縦に長い形状の開口部１１に装着される水量カバー（透明なカバー部材の一例）１０とで構成されている。透明なＡＢＳで成る水量カバー１０は、上下方向視で外側に向けて凸となる曲面状の表示面１２に、上下の各端部に配置されたガイド部（ガイド手段Ｇの一例）１３，１４と、下ガイド部１４の直上に配置された左右一対の係合片１５，１５とを一体形成するとともに、表示面１２の上端部で左右中央部に係合凹み１６を形成して構成されている。
【００３１】
上下のガイド部１３，１４は、共に左右一対の脚片１３ａ（１４ａ）で水量管７を左右から挟む二股状に形成されており、中継管８の直下と連結管６の直上との各位置において水量管７の左右方向の位置決めを行なうようにガイドする。これにより、共にゴム製の連結管６と中継管８とで上下端が連結されて姿勢の定まり難い水量管７が、水量カバー１０に対して正規の左右位置に矯正されるようになる。左右の脚片１３ａ（１４ａ）で囲まれたガイド部１３，１４は、その空間部の幅が先端側ほど広くなる先拡がり状（ラッパ状）に形成されており、水量管７を押し込めば左右方向だけでなく、前後方向も位置決めできるように構成されている。
【００３２】
開口部１１の上端には、係合凹み１６に係合する突起部１１ａが、かつ、開口１１の下部における左右には、係合片１５に係合する被係合部１１ｂがそれぞれ形成してある。従って、係合凹み１６を突起部１１ａに入れ込み、それからその突起部１１ａを中心として揺動移動するように水量カバー１０を外装ケース２０に押し込み移動させて、左右の係合片１５を被係合部１１ｂに係合させることにより、水量カバー１０を外装ケース２０に組付けることができる。
【００３３】
水量カバー１０の外装ケース２０への組付け後には、水量カバー１０の表示面１２の外面と、外装ケース２０の凹み部分２０ｂとを覆う状態の水量表示シート（ＰＥＴシート）５９を貼着する。水量表示シート５９には、目盛り等が記された表示面５９ａが形成されている。水量管７には、これの背面側を覆うバックボードとなる湾曲板１７が装備されている。すなわち、湾曲板１７の上部に形成された装着部１７ａを、中継管８の直下の水量管７に挿通することにより、湾曲板１７を水量管７に支持される状態で装備してある。湾曲板１７の左右中心に、水量管７の水面位置を見やすくするために上下に長い背景ライン１７ｂを形成してある。
【００３４】
また、図１３に示すように、湾曲板１７で水量管７をガイド部１３（１４）に押し込み付勢するように構成すれば、水量管７の水量カバー１０に対する（開口部１１に対する）前後方向にも位置決めでき、かつ、そのガイド部１３，１４における前後の位置決め状態を維持できる好都合なものとなる。
【００３５】
図３に示すように、外装ケース２０とその底部２０ａとは別部材であり、これら両者間には電気ポットを上下軸心回りで回動自在とするための接地リング４５が回動自在に装備されている。合成樹脂製の接地リング４５は、環状の本体４６とこれに一体形成された複数の接地片４７とで構成され、外装ケース２０と底部２０ａとで形成された円形凹溝４８に抜け止め状態に嵌め入れられている。
【００３６】
図９、図１０に示すように、合成樹脂製の底部２０ａは、その大部分を占める円形で平な本体部分４９と、縦壁部分５１を介して連続するフランジ部分５２とを有した段差形状に形成されている。縦壁部分５１には複数の抜け止め（接地リング４５の抜け止め）用突起５１ａが形成され、フランジ部分５２には、複数の差込片５３と、一対のガイド縦壁（ガイド手段Ｇの一例）５８，５８と、外装ケース２０にネジ止め固定するための孔５７とが形成されている。
【００３７】
一対の縦壁５８，５８は、ネジ止め用孔５７が形成される差込片５３から立設されており、排出経路３における連結管６を挟み込んで位置決めする機能を持っている。つまり、排出経路３は、連結管６に作用するガイド機構５６と、水量管の上下端部に作用する上下のガイド部１３，１４との三箇所において、水量カバー１０に対する左右方向が位置決めされており、水量カバー１０の背後における適正位置に保持される構造になっている。
【００３８】
図３、図８に示すように、電動ポンプ２は、遮熱板２８にボルト止めされており、その遮熱板２８は金具（符記省略）を介して内容器１に取付けられているので、電動ポンプ２にゴム製の連結管６を介して接続連結された水量管７は、内容器１とは別部材である外装ケース２０に形成された開口部１１に対する位置や姿勢はばらつき易い傾向にあるが、上述のように既存部品に一体形成された計３箇所のガイド手段Ｇにより、殆どコストアップ無く水量管を正規の位置及び姿勢で組付けることができ、残量の見易い良好な水量表示部Ｆを実現している。
【００３９】
〔別実施形態〕
図１１、図１２に示すように、ガイド手段Ｇを、開口部１１の上下における外装ケース２０に一体形成された上下の折り曲げ部６０，６１で構成しても良い。すなわち、水量管７を挟持できるよう、先端に抜け止め突起６２ａを有した一対の脚片６２，６２を設けた二股状の折り曲げ部６０，６１を、肉厚を小とした樹脂ヒンジ部６３を介して外装ケース２０に予め一体形成しておき、内側に直角に折り曲げた使用位置にすることで、水量管７の上下を挟み込んで位置決めする。この場合は、前述の本実施形態における水量カバー１０に相当するものを省略し、外装ケース２０の凹み部分２０ｂに水量表示シート５９を貼着することで水量表示部Ｆを構成することが可能である。
【００４０】
この場合の凹み部分２０ｂは、これに貼着された水量表示シート５９が、その左右方向の中間部が左右端部よりも外側に突出する凸面状となる状態に形成されている。水量管７や水量カバー１０は、無色透明以外に、薄く着色された透明や半透明でも良く、要するに水面が透けて見通せるものであれば良い。また、電動ポンプを有するが電気ヒーターを持たない保温型の電気ポットにも本発明を適用可能である。
【００４１】
【発明の効果】
以上説明したように、本発明による液量表示構造によれば、水量管の位置や姿勢を矯正して案内するガイド手段を、外装ケースに装備される水量カバー、開口部を形成する部分の外装ケース、或いは底部という既存部材に一体形成してあるから、部品点数の増加が無く、かつ、コストアップも殆ど無いようにしながら設けることができる経済的、合理的なものにできた。これにより、組付け後に排出経路の組直し連結部に調整操作といった面倒で手間の掛る後処理が不要になり、誰でも水量管を適正な位置に組み付けることができ、しかも液体の残量確認が行い易い電気ポットを提供することができた。
【００４２】
また、次のような効果もある。▲１▼水量カバー１０にガイド手段Ｇを一体形成させる構成では、ガイド手段Ｇ用の入れ子型を追加するといったことが不要であり、水量カバーを作成するための二つ割構造の金型の数を増やすことが無い点でも経済的である。▲２▼開口部１１にガイド手段Ｇを設ける構成では、樹脂ヒンジ部６３を用いることで外装ケース２０と同じ面上で上下のガイド部１３，１４を金型成形することができるので、ガイド部専用の金型を用意しなくて済み、経済的である。▲３▼底部２０ａにガイド手段Ｇを一体形成する構成では、ガイド縦壁５８が金型の割面に直交する方向に突出させてあり、やはり専用の金型が不要であって経済的に優れている。
【図面の簡単な説明】
【図１】図１は、電気ポットの構造を示す断面側面図である。
【図２】図２は、湯の排出経路を示す電気ポット要部の断面側面図である。
【図３】図３は、電気ポット底部の断面側面図である。
【図４】図４は、水量表示部の構造を示す断面側面図である。
【図５】図５は、水量表示部の正面図である。
【図６】図６は、水量カバーを示し、（イ）は正面図、（ロ）は側面図、（ハ）は平面図である。
【図７】図７は、下側のガイド手段による水量管のガイド状態を示す断面底面図である。
【図８】図８は、電動ポンプの装着構造を示す底面図である。
【図９】図９は、底部を示す上方からの斜視図である。
【図１０】図１０は、底部を示す下方からの斜視図である。
【図１１】図１１は、ガイド手段の別構造を示す水量表示部の正面図である。
【図１２】図１２は、図１１に示す水量表示部の断面側面図である。
【図１３】図１３は、湾曲板で水量管を押圧付勢するガイド手段を示す要部の底面図である。
【符号の説明】
１  液体タンク
２  電動ポンプ
２ｂ  吐出部
３  排出経路
６  接続管
７  水量管
９  液体排出部
１０  カバー部材
１１  開口部
２０  ケース
２０ａ  底部
５８  ガイド縦壁
Ｆ  液量表示部
Ｇ  ガイド手段
【図１】
0003633585.tif 000002
【図２】
0003633585.tif 000003
【図３】
0003633585.tif 000004
【図４】
0003633585.tif 000005
【図５】
0003633585.tif 000006
【図６】
0003633585.tif 000007
【図７】
0003633585.tif 000008
【図８】
0003633585.tif 000009
【図９】
0003633585.tif 000010
【図１０】
0003633585.tif 000011
【図１１】
0003633585.tif 000012
【図１２】
0003633585.tif 000013
【図１３】
0003633585.tif 000014